(57)【要約】【課題】撮像範囲・病変が撮像視野内にあるか否かを確認することができる乳房専用核医学診断装置を提供することを目的とする。【解決手段】被検体内の放射性薬剤から発生した放射線からの検査データを生成して、生成された当該検査データを蓄積しつつ再構成することにより、乳房に関する検査（撮像）を行う。一方、生成された当該検査データに基づいて、検査位置確認のための乳房に関する検査確認画像を随時更新しながら出力表示する。その結果、検査データを利用して乳房に関する検査確認画像を随時更新しながら出力表示することにより、一枚の画像（検査確認画像）で撮像範囲・病変が撮像視野内にあるか否かを確認することができる。【選択図】図６
2016205830.tif 000002
【特許請求の範囲】
【請求項１】
乳房専用核医学診断装置であって、
被検体内の放射性薬剤から発生した放射線を検出する検出器と、
当該検出器で検出された放射線から検査データを生成する検査データ生成手段と、
生成された当該検査データを蓄積しつつ画像を再構成する再構成手段と、
生成された当該検査データに基づいて、検査位置確認のための乳房に関する検査確認画像を随時更新しながら出力表示する出力表示制御手段と
を備えることを特徴とする乳房専用核医学診断装置。
【請求項２】
請求項１に記載の乳房専用核医学診断装置において、
乳頭を通り胸壁に垂直な乳房の中心軸であって、表示指定に基づいて、当該乳房の中心軸に直交する複数の方向からの前記検査確認画像の出力表示のいずれか一つに切り替えを行う第１出力表示切り替え手段を備えることを特徴とする乳房専用核医学診断装置。
【請求項３】
請求項２に記載の乳房専用核医学診断装置において、
前記検査確認画像は、前記乳房の中心軸に直交する体軸での体軸横断面のアキシャルとなる画像，または前記体軸に直交かつ前記乳房の中心軸に直交する軸方向からの矢状断面のサジタルとなる画像であって、
前記第１出力表示切り替え手段は、前記アキシャルとなる画像または前記サジタルとなる画像の出力表示のいずれかに切り替えを行うことを特徴とする乳房専用核医学診断装置。
【請求項４】
請求項１から請求項３のいずれかに記載の乳房専用核医学診断装置において、
前記検査確認画像は、最大値投影法で得られたＭＩＰ画像，またはプラナー像であることを特徴とする乳房専用核医学診断装置。
【請求項５】
請求項４に記載の乳房専用核医学診断装置において、
表示指定に基づいて、前記ＭＩＰ画像または前記プラナー像の出力表示のいずれかに切り替えを行う第２出力表示切り替え手段を備えることを特徴とする乳房専用核医学診断装置。
【請求項６】
請求項４または請求項５に記載の乳房専用核医学診断装置において、
出力表示する前記ＭＩＰ画像または前記プラナー像の描画方向の切り替えを行う第３出力表示切り替え手段を備えることを特徴とする乳房専用核医学診断装置。
【請求項７】
請求項４から請求項６のいずれかに記載の乳房専用核医学診断装置において、
出力表示する前記ＭＩＰ画像または前記プラナー像を、乳房が下垂で描画することを特徴とする乳房専用核医学診断装置。
【請求項８】
請求項１から請求項７のいずれかに記載の乳房専用核医学診断装置において、
検査開姶前までに得られた前記検査データを用いて再構成された画像を前記検査確認画像として出力表示することを特徴とする乳房専用核医学診断装置。
【請求項９】
請求項８に記載の乳房専用核医学診断装置において、
前記検査開姶前までに得られた前記検査データを用いて再構成された画像である前記検査確認画像をクリアすることを特徴とする乳房専用核医学診断装置。
【請求項１０】
請求項１から請求項９のいずれかに記載の乳房専用核医学診断装置において、
出力表示する前記検査確認画像を前記被検体の検査体位と同じ空間座標系で描画することを特徴とする乳房専用核医学診断装置。
【請求項１１】
請求項１から請求項１０のいずれかに記載の乳房専用核医学診断装置において、
位置情報を示す罫線をスケーラとして画面に描画することを特徴とする乳房専用核医学診断装置。
【発明の詳細な説明】
【技術分野】
【０００１】
この発明は、乳房専用核医学診断装置に係り、特に、被検体内の放射性薬剤から発生した放射線に基づいて乳房に関する画像を表示する技術に関する。
【背景技術】
【０００２】
従来、乳がん検出のためのマンモグラム（乳房撮影）を行う装置として、例えばＰＥＴ(Positron Emission Tomography)装置が用いられる。ＰＥＴを用いたマンモグラムでは、図７に示すような全身用ＰＥＴ装置を用いて行われる（例えば、特許文献１、２参照）。図７は、従来の全身用ＰＥＴ装置の概略側面図である。図７に示すように、被検体Ｍを載置する天板１０１と、開口部１０２ａを有したガントリ１０２と、被検体Ｍの体軸Ｚ周りを取り囲むようにしてリング状に配置され、ガントリ１０２内に埋設された検出器１０３と、データを蓄積するコンソール１０４とを備えている。
【０００３】
予め放射性薬剤を投与した被検体Ｍをガントリ１０２の開口部１０２ａに挿入し、その被検体Ｍから放射される511KeVの対消滅光子をガントリ１０２内の検出器１０３にて検出する。そして、その光子を検出した時刻を測定し、検出器１０３内での２つの検出素子での検出時刻差が一定時間 (TW: Time Window)内の場合に、それを一対の対消滅光子として計数（同時計数）し、さらに対消滅発生地点を、検出した検出対の直線上と特定する。
【０００４】
このようにして検出されたデータは「エミッションデータ(Emission Data)」と呼ばれ、このデータをコンソール１０４に蓄積する。このエミッションデータから画像再構成を行ってＰＥＴ画像を取得する。特定の病巣に集積しやすい放射性薬剤を被検体Ｍに投与することで、被検体Ｍにその病巣がある場合にはその病巣がＰＥＴ画像上に高い画素値となって表れて識別することができる。
【０００５】
近年では、全身用ＰＥＴ装置に加えて、乳房専用ＰＥＴ装置（マンモＰＥＴ装置）が開発されている。マンモＰＥＴ装置(PEM: Positron Emission Mammography)では、検出器を内蔵した平板で乳房を挟んで圧迫してマンモグラムを行う圧迫のタイプや、例えば乳房の周囲をリング状に取り囲んだ検出器でマンモグラムを行う非圧迫のタイプがある。後者の非圧迫のタイプでは、被検体を伏臥位に載置して、重力により乳房を下垂させた状態でマンモグラムを行う。
【０００６】
このような伏臥位型・マンモＰＥＴ装置では、上述したように乳房を取り囲むように検出器が配置されている。よって、全身用ＰＥＴ装置やＸ線ＣＴ(Computed Tomography) 装置や磁気共鳴診断(Magnetic Resonance Imaging)を行うＭＲＩ装置などと異なり、後者の非圧迫のタイプで得られた画像は、基本となる断面が体軸断面（体軸横断面）のアキシャル（axial）（「transverse」とも呼ばれる）像でなく、乳房の正面側からの断面、すなわち冠状断面のコロナル（coronal）像に近い断面になっている。
【０００７】
全身用ＰＥＴ装置やＸ線ＣＴ装置や小動物ＰＥＴ装置などでは、検査中（データ収集中）に得られたデータから、リアルタイムに画像を生成する手段を有している。これらで得られた画像は、検出器リングの中心軸に対して垂直な断面（全身用ＰＥＴ装置やＸ線ＣＴ装置では中心軸が体軸なのでアキシャル断面）のスライス画像である。よって、最大値投影法で得られたＭＩＰ(Maximum Intensity Projection)画像は、何を描画しているのかわからないので、ＭＩＰ画像を作成していない。なお、以下では特に断らない限り、乳房専用ＰＥＴ装置（マンモＰＥＴ装置）は非圧迫の乳房に関する３次元ボリュームデータを取得することができる装置に関するものとする。
【先行技術文献】
【特許文献】
【０００８】
【特許文献１】特開２０１４−２２８４４３号公報
【特許文献２】国際公開第ＷＯ２０１１／１２１７３７号
【発明の概要】
【発明が解決しようとする課題】
【０００９】
しかしながら、従来のマンモＰＥＴ装置（乳房専用ＰＥＴ装置）の場合には、次のような問題がある。
すなわち、全身用ＰＥＴ装置や小動物ＰＥＴ装置では、撮像対象が撮像視野内にあるのを確認するだけで済み、精度良く撮像を行うベく撮像対象・撮像視野の中心軸が一致するように設定するためには光の照射軸で確認すればよい。つまり、光の照射軸が装置の中心軸（撮像視野の中心軸）に一致するように光照射機構を設置して、照射された光に撮像対象の中心が位置するように位置合わせ（ポジショニング）を行うことで撮像対象の中心が撮像視野の中心軸に設定することができる。それに対してマンモＰＥＴ装置（乳房専用ＰＥＴ装置）の場合には、光照射機構の設置スペースがなく乳房の外観がわからない。
【００１０】
また、マンモＰＥＴ装置の場合には、検出器リングに乳房をできる限り深く挿入して検査（描画）したいという要望がある。しかし、実際には胸部が検出器近傍に接触するので、実際にどの程度深く乳房が入っているのかを目視することができない。また、検出器リングが貫通しており、反対側（乳頭側）から目視可能な装置であっても、挿入が確認できるのは表面に関してのみである。よって、深部（特に胸壁部）の挿入の成否については外観からはわからないし、特に小さな乳房や胸壁付近に病変がある場合の検査においては、その体位（挿入状態）で描画することができるか否かについては実際に撮像しないとわからなかった。
【００１１】
また、マンモＰＥＴ装置の場合には、検出器リングの中心軸に対して垂直な断面にて表示すると、上述したようにコロナル像に近い断面となる。よって、その断面のどこのスライスを表示するのかは、乳房のサイズなどによっても異なることが想定され、またコロナル断面のＭＩＰ画像を仮に表示しても、それでは乳房の挿入深さはわからない。
【００１２】
この発明は、このような事情に鑑みてなされたものであって、撮像範囲・病変が撮像視野内にあるか否かを確認することができる乳房専用核医学診断装置を提供することを目的とする。
【課題を解決するための手段】
【００１３】
この発明は、このような目的を達成するために、次のような構成をとる。
すなわち、この発明に係る乳房専用核医学診断装置は、被検体内の放射性薬剤から発生した放射線を検出する検出器と、当該検出器で検出された放射線から検査データを生成する検査データ生成手段と、生成された当該検査データを蓄積しつつ画像を再構成する再構成手段と、生成された当該検査データに基づいて、検査位置確認のための乳房に関する検査確認画像を随時更新しながら出力表示する出力表示制御手段とを備えることを特徴とするものである。
【００１４】
［作用・効果］この発明に係る乳房専用核医学診断装置によれば、被検体内の放射性薬剤から発生した放射線を検出器が検出し、当該検出器で検出された放射線から検査データ生成手段は検査データを生成する。そして、生成された当該検査データを蓄積しつつ再構成手段が再構成することにより、乳房に関する検査（撮像）を行う。従来では、撮像終了後に各データ（検査データ・再構成された画像）を保存していた。この発明では、検査開姶前から検査データを生成して収集することにより、検査開姶前から当該検査データを保存する。そして、検査開姶前に得られた検査データを利用して、出力表示制御手段は検査位置確認のための乳房に関する検査確認画像を検査前あるいは検査中に随時更新しながら出力表示する。検査確認画像を検査前に随時更新しながら出力表示する場合には、検査までに検査確認画像の表示結果を目視して乳房の位置合わせ（ポジショニング）を行うことができる。検査確認画像を検査中に随時更新しながら出力表示する場合には、検査中に検査確認画像の表示結果を目視して乳房の位置合わせ（ポジショニング）を行うことができる。このように、検査データを利用して乳房に関する検査確認画像を随時更新しながら出力表示することにより、一枚の画像（検査確認画像）で撮像範囲・病変が撮像視野内にあるか否かを確認することができる。
【００１５】
この発明に係る乳房専用核医学診断装置において、乳頭を通り胸壁に垂直な乳房の中心軸であって、表示指定に基づいて、当該乳房の中心軸に直交する複数の方向からの検査確認画像の出力表示のいずれか一つに切り替えを行う第１出力表示切り替え手段を備えるのが好ましい。これにより、乳房の中心軸に直交する様々な方向からの検査確認画像は、乳頭から胸壁までが描画されて表示されるので、乳房の挿入深さや病変の深さを把握することができる。また、表示指定に基づいて、見えやすい方向からの検査確認画像の出力表示の切り替えを行うことにより、深さ方向に対して撮像範囲・病変が撮像視野内にあるか否かを確認することができる。
【００１６】
この場合において、乳房の中心軸に直交する軸の代表例は、乳房の中心軸に直交する体軸，または体軸に直交かつ乳房の中心軸に直交する軸である。すなわち、検査確認画像は、（乳房の中心軸に直交する）体軸での体軸横断面のアキシャルとなる画像，または（体軸に直交かつ乳房の中心軸に直交する）軸方向からの矢状断面のサジタル（sagittal）となる画像であって、第１出力表示切り替え手段は、アキシャルとなる画像またはサジタルとなる画像の出力表示のいずれかに切り替えを行う。
【００１７】
ここで、「アキシャルとなる画像」とは、断層画像のアキシャル像のみならず、後述するような体軸方向から見たＭＩＰ画像やプラナー像（平面像）も含まれることに留意されたい。同様に、「サジタルとなる画像」とは、断層画像のサジタル像のみならず、後述するような（体軸に直交かつ乳房の中心軸に直交する）軸方向から見たＭＩＰ画像やプラナー像（平面像）も含まれることに留意されたい。
【００１８】
これらの発明に係る乳房専用核医学診断装置において、検査確認画像は、最大値投影法で得られたＭＩＰ画像，またはプラナー像である。なお、多断層（多断面）画像の場合には病巣を見つけようとすると各断面を検索しなければならなくなることがある。そこで、ＭＩＰ画像を検査確認画像とすることで病巣の深さを把握することができる。また、プラナー像は、あるビューからの平面像（すなわち投影像）である。よって、プラナー像を検査確認画像とすることで、検査データを再構成することなく、検査データからプラナー像を簡易に生成することができる。
【００１９】
検査確認画像がＭＩＰ画像またはプラナー像である場合において、表示指定に基づいて、ＭＩＰ画像またはプラナー像の出力表示のいずれかに切り替えを行う第２出力表示切り替え手段を備えるのが好ましい。これにより、必要に応じて、ＭＩＰ画像の出力表示に切り替えを行うことで、病巣を見つけやすいＭＩＰ画像を表示することができる。また、必要に応じて、プラナー像の出力表示に切り替えを行うことで、検査データから簡易に生成されたプラナー像を検査確認画像として簡便に表示することができる。
【００２０】
また、検査確認画像がＭＩＰ画像またはプラナー像である場合において、出力表示するＭＩＰ画像またはプラナー像の描画方向の切り替えを行う第３出力表示切り替え手段を備えてもよい。例えば、同じアキシャルとなるＭＩＰ画像やプラナー像でも、頭から足下に向かって見るビュー方向である頭尾方向（CC: Cranio-Caudal）（「Top View」とも呼ばれる），逆に足下から頭に向かって見るBottom Viewなどがある。また、同じサジタルとなるＭＩＰ画像やプラナー像でも、乳房の内側から外側に向かって見るビュー方向である内外側(ML: Medial-Lateral) ，左から右あるいは右から左に向かって見るビューがある。
【００２１】
また、検査確認画像がＭＩＰ画像またはプラナー像である場合において、出力表示するＭＩＰ画像またはプラナー像を、乳房が下垂で描画してもよい。被検体を伏臥位に載置する場合には、乳房が下垂で描画することにより、画像の上が胸壁側，下が乳頭側で描画することができる。特に、乳房が下垂している様子を正面から見たアキシャル方向，あるいは側面から見たサジタル方向でのＭＩＰ画像またはプラナー像を表示することで、実際に被検体がうつ伏せで寝ている体位（伏臥位）をイメージしつつ、乳房を深く挿入しているのか、胸壁近くの病変が撮像視野内に入っているのかを一見で確認することができる。
【００２２】
検査確認画像はＭＩＰ画像やプラナー像に限定されない。検査開姶前までに得られた検査データを用いて再構成された画像を検査確認画像として出力表示してもよい。病変が撮像視野外になったことによる再検査を減らし、術者の被曝および被検体の身体的負担の増大を抑え、検査ルーティンを維持し易くする。また、再構成された画像を検査確認画像として表示することにより、検査前の体位の微調整や確認が行い易くなる。
【００２３】
また、検査開姶前までに得られた検査データを用いて再構成された画像を検査確認画像とする場合において、当該検査確認画像をクリアするのが好ましい。検査位置確認にさほどの影響はないが検査開姶前には多少のノイズが検査データに重畳される。検査確認画像をクリアすることにより、検査（撮像）時での再構成された画像を精度良く収集することができる。また、検査開始前に検査位置確認を行い、被検体のポジショニングをやり直した場合、それまでの検査データによる位置確認画像に新たなポジジョンでのデータを加えると、位置確認が曖昧なものになるので、随時画像をクリアできるクリアボタンを設置し、クリアボタンが押下されると、画像をクリアし、またボタン押下後の検査データのみを用いて位置確認画像を表示する。
【００２４】
これらの発明に係る乳房専用核医学診断装置において、出力表示する検査確認画像を被検体の検査体位と同じ空間座標系で描画するのが好ましい。描画される検査確認画像と被検体の検査体位とが同じ空間座標系であることで、乳房の挿入が直感的に理解し易くなる。
【００２５】
これらの発明に係る乳房専用核医学診断装置において、位置情報を示す罫線をスケーラとして画面に描画してもよい。スケーラにより撮像範囲・病変の位置が直感的に理解し易くなる。
【発明の効果】
【００２６】
この発明に係る乳房専用核医学診断装置によれば、被検体内の放射性薬剤から発生した放射線を検出器が検出し、当該検出器で検出された放射線から検査データ生成手段は検査データを生成する。そして、生成された当該検査データを蓄積しつつ再構成手段が再構成することにより、乳房に関する検査（撮像）を行う。一方、生成された当該検査データに基づいて、検査位置確認のための乳房に関する検査確認画像を随時更新しながら出力表示する。その結果、検査データを利用して乳房に関する検査確認画像を随時更新しながら出力表示することにより、一枚の画像（検査確認画像）で撮像範囲・病変が撮像視野内にあるか否かを確認することができる。
【図面の簡単な説明】
【００２７】
【図１】（ａ）は実施例に係るマンモＰＥＴ装置の概略側面図、（ｂ）は（ａ）の検出器ユニットの概略平面図である。
【図２】実施例に係るマンモＰＥＴ装置のブロック図である。
【図３】（ａ）はサイノグラム（検査データ）の模式図、（ｂ）は（ａ）のサイノグラム（検査データ）からの検査確認画像の模式図である。
【図４】乳房の中心軸および当該乳房の中心軸に直交する軸の模式図である。
【図５】図６との比較のための従来のリアルタイム再構成画像（コロナル断面のスライス画像）の表示態様である。
【図６】実施例に係るリアルタイム検査確認画像（アキシャルまたはサジタルとなるＭＩＰ画像またはプラナー像）の表示態様である。
【図７】従来の全身用ＰＥＴ装置の概略側面図である。
【実施例】
【００２８】
以下、図面を参照してこの発明の実施例を説明する。
図１（ａ）は、実施例に係るマンモＰＥＴ装置の概略側面図であり、図１（ｂ）は、図１（ａ）の検出器ユニットの概略平面図であり、図２は、実施例に係るマンモＰＥＴ装置のブロック図である。本実施例では乳房専用核医学診断装置としてマンモＰＥＴ装置を例に採って説明する。
【００２９】
図１（ａ）に示すように、マンモＰＥＴ装置１は、被検体Ｍを伏臥位に載置するガントリ２を備えている。ガントリ２の載置面には、載置面よりも下部で乳房を診断するために乳房を挿入する開口部２ａを左右に２つ設けている。ガントリ２内には、被検体Ｍ内の放射性薬剤から発生した放射線（光子）を検出する検出器３ａを有したリング状の検出器ユニット３と、その検出器ユニット３を支持し、移動させる支持・移動機構４とを備えている。その他に、マンモＰＥＴ装置１は、同時計数回路５（図２を参照）と画像処理部６（図２を参照）とコントローラ７（図２を参照）とメモリ部８（図２を参照）と入力部９（図２を参照）とモニタ１０（図２を参照）とを備えている。マンモＰＥＴ装置１は、この発明における乳房専用核医学診断装置に相当し、検出器３ａは、この発明における検出器に相当し、同時計数回路５は、この発明における検査データ生成手段に相当し、画像処理部６は、この発明における再構成手段に相当し、コントローラ７は、この発明における出力表示制御手段および第１〜第３出力表示切り替え手段に相当する。
【００３０】
図１（ａ）および図１（ｂ）に示すように、検出器ユニット３は、乳房の周囲を取り囲むように配置された複数の検出器３ａと、これらの検出器３ａを収容したリング状の筐体３ｂとを備えている。図１（ｂ）では、簡略化のために、８つの検出器３ａのみを図示しているが、実際にはそれ以上の数の検出器３ａを備えていることに留意されたい。
【００３１】
予め放射性薬剤を投与した被検体Ｍを伏臥位にガントリ２に載置して、伏臥位状態の被検体Ｍの乳房を開口部２ａに挿入して、ＰＥＴ撮像を行う。左右の乳房のうち、いずれか一方の乳房の撮像を行うために、当該乳房を近接させる位置にまで支持・移動機構４は検出器ユニット３を水平および昇降移動させる。当該一方の乳房からの光子を検出器３ａが計数して、同時計数したときのみ同時計数回路５（図２を参照）に送り込む。乳房の周囲を撮像するので、当該一方の乳房に関する３次元ボリュームデータを取得することができる。
【００３２】
一方の乳房の撮像が終了すれば、他方の乳房の撮像を行うために、被検体Ｍが載置面を移動する。もしくは当該他方の乳房を近接させる位置にまで支持・移動機構４は検出器ユニット３を水平および昇降移動させてもよい。そして、同様に撮像を行う。このようにして、左右の乳房に関する３次元ボリュームデータをそれぞれ取得することができる。なお、特別な事情がない限り、左右の乳房の撮像をそれぞれ行う。
【００３３】
次に、図２に示すように、同時計数回路５で同時計数された同時計数データをサイノグラム（図３（ａ）を参照）からなる検査データとして収集（生成）する。生成された当該検査データを画像処理部６およびコントローラ７に送り込み、この検査データを蓄積しつつ画像処理部６は画像を再構成する。再構成については逐次近似法などの周知の手法を用いればよい。
【００３４】
コントローラ７は、中央演算処理装置（ＣＰＵ）などで構成されている。なお、本実施例では、コントローラ７は、出力表示制御の機能および第１〜第３出力表示切り替えの機能を備えている。これらの機能については詳しく後述する。
【００３５】
メモリ部８は、ＲＯＭ（Read-only Memory）やＲＡＭ（Random-Access Memory）などに代表される記憶媒体で構成されている。本実施例では、同時計数回路５で収集（生成）された検査データ，画像処理部６で再構成された画像，後述する検査確認画像（本実施例ではアキシャル，サジタルとなるＭＩＰ画像やプラナー像）についてはＲＡＭに書き込んで記憶し、必要に応じてＲＡＭから読み出す。
【００３６】
入力部９は、術者が入力したデータや命令をコントローラ７に送り込む。入力部９は、マウスやキーボードやジョイスティックやトラックボールやタッチパネルなどに代表されるポインティングデバイスで構成されている。本実施例では、出力表示の切り替えを行うための表示指定の機能も備えている。これらの機能についても詳しく後述する。
【００３７】
モニタ１０は、後述する図６の画像を画面に表示するように構成されている。また、モニタ１０はタッチパネルで構成されていてもよく、モニタ１０が入力部９の機能を有するように構成してもよい。
【００３８】
次に、本実施例の表示態様について、図３〜図６を参照して説明する。図３（ａ）は、サイノグラム（検査データ）の模式図であり、図３（ｂ）は、図３（ａ）のサイノグラム（検査データ）からの検査確認画像の模式図であり、図４は、乳房の中心軸および当該乳房の中心軸に直交する軸の模式図であり、図５は、図６との比較のための従来のリアルタイム再構成（コロナル断面のスライス画像）の表示態様であり、図６は、実施例に係るリアルタイム検査確認画像（アキシャルまたはサジタルとなるＭＩＰ画像またはプラナー像）の表示態様である。
【００３９】
先ず、同時計数回路５（図２を参照）は、同時計数データを図３（ａ）に示すサイノグラムからなる検査データとして収集（生成）する。サイノグラムの縦軸は投影角度θであり、サイノグラムの横軸は位置ｒである。検査（撮像）時には生成された当該検査データを画像処理部６（図２を参照）に送り込み、この検査データを蓄積しつつ画像処理部６は画像を再構成する。
【００４０】
一方、検査前あるいは検査中に乳房の位置合わせ（ポジショニング）を行うために、検査データをコントローラ７（図２を参照）に送り込む。生成された当該検査データに基づいて、検査位置確認のための乳房に関する検査確認画像を随時更新しながら出力表示する出力表示制御の機能をコントローラ７が有している。具体的には、検査確認画像として、ＭＩＰ画像，プラナー像あるいは再構成された画像を生成する。
【００４１】
プラナー像を検査確認画像として生成する場合について説明する。図３（ａ）に示すサイノグラムにおいて、ある投影角度（ビュー方向）θ１の箇所（一点鎖線を参照）を抜き出し、図３（ｂ）に示すように投影角度（ビュー方向）θ１からの平面像をプラナー像として生成する。乳房の挿入深さや病変の深さを把握するためには、投影角度（ビュー方向）については、図４に示すように設定するのが好ましい。乳頭を通り胸壁（図４では胸壁の面をＰで表記）に垂直な乳房の中心軸をＡｘとすると、当該乳房の中心軸Ａｘに直交する複数の軸（図４では各軸をＡ１〜Ａ６で表記）方向を投影角度（ビュー方向）とするのが好ましい。図４では乳房の中心軸Ａｘに直交する複数の軸を６つのみ図示したが、乳房の中心軸Ａｘに直交する軸は、無数に存在する。以下では、乳房の中心軸Ａｘに直交する軸として、乳房の中心軸Ａｘに直交する体軸Ｚ（図１（ａ）を参照），または体軸Ｚに直交かつ乳房の中心軸Ａｘに直交する軸を例に採って説明する。
【００４２】
従来のリアルタイム再構成では、図１に示す伏臥位型・マンモＰＥＴ装置１で撮像中（収集中）に検査データをリアルタイムに取得して、図５に示すようにリアルタイムに再構成していた。図５で表示しているのはコロナル断面のスライス画像であり、ある断面での集積の変化を見ることは可能である。しかし、「発明が解決しようとする課題」の欄でも述べたように、乳房を深く挿入しているのか、胸壁付近の病変が撮像視野内に入っているのかという点を確認するにはスライスを変える等の操作が必要である。
【００４３】
それに対して、本発明の本実施例のように、図６では乳房が下垂している樣子を正面あるいは側面から見たアキシャルまたはサジタルとなるＭＩＰ画像またはプラナー像を表示する。これによって、実際に被検体Ｍ（図１（ａ）を参照）がうつ伏せで寝ている体位（伏臥位）をイメージしつつ、乳房を深く挿入しているのか、胸壁近くの病変が撮像視野内に入っているのかを一見で確認することができる。
【００４４】
また、コントローラ７が第１出力表示切り替えの機能を有するように構成してもよい。第１出力表示切り替えの機能は、乳頭を通り胸壁に垂直な乳房の中心軸Ａｘ（図４を参照）であって、表示指定に基づいて、当該乳房の中心軸Ａｘに直交する複数の方向からの検査確認画像の出力表示のいずれか一つに切り替えを行う。本実施例では、アキシャルとなる画像またはサジタルとなる画像の出力表示のいずれかに切り替えを行う。具体的には、切り替えボタンを入力部９（図２を参照）で構成し、操作者がアキシャルとなる画像またはサジタルとなる画像のいずれかを表示するように切り替えボタンを押下して、切り替えボタンの押下による表示指定に基づいて、アキシャルとなる画像またはサジタルとなる画像の出力表示のいずれかに切り替えを行うことができる。よって、アキシャルとなる画像またはサジタルとなる画像を別途選択することなくモニタ１０（図２を参照）にアキシャルとなる画像またはサジタルとなる画像のいずれかを表示することができる。なお、切り替えボタンを押下する以外にも、モニタ１０に切り替えボタンを表示して、その切り替えボタンをクリックすることにより、切り替え表示してもよいし、プルダウンリストに「アキシャルとなる画像の出力表示」，「サジタルとなる画像の出力表示」を選択するようにして、切り替え表示してもよい。いずれの場合であっても、モニタ１０上でのワンアクション（切り替えボタンのクリックまたはプルダウンリストの切り替え）で切り替え表示することができる。
【００４５】
「課題を解決するための手段」の欄でも述べたように、「アキシャルとなる画像」とは、断層画像のアキシャル像のみならず、体軸方向から見たＭＩＰ画像やプラナー像（平面像）も含まれる。同様に、「サジタルとなる画像」とは、断層画像のサジタル像のみならず、（体軸Ｚに直交かつ乳房の中心軸Ａｘに直交する）軸方向から見たＭＩＰ画像やプラナー像（平面像）も含まれる。
【００４６】
また、マンモＰＥＴ装置以外の多くのＸ線マンモグラフィは、一枚の単画像であり、トモシンセシスによるＸ線マンモグラフィはある程度の断層画像が得られる。それに対して、マンモＰＥＴ装置で得られた乳房ＰＥＴ画像は、多断層（多断面）(MPR: Multi Planar Reconstruction)画像であるので、その表示する断面によっては病巣が見つからず他のモダリティでの画像と比較読影しにくい。
【００４７】
そこで、コントローラ７が第２出力表示切り替えの機能を有するように構成する。第２出力表示切り替えの機能は、ＭＩＰ画像またはプラナー像の出力表示のいずれかに切り替えを行う。ＭＩＰ画像またはプラナー像の切り替えも、アキシャルとなる画像またはサジタルとなる画像の切り替えと同様に、モニタ１０上でのワンアクション（切り替えボタンのクリックまたはプルダウンリストの切り替え）で切り替え表示する、あるいは切り替えボタンの押下によって切り替え表示する。
【００４８】
また、コントローラ７が第３出力表示切り替えの機能を有するように構成してもよい。第３出力表示切り替えの機能は、出力表示するＭＩＰ画像またはプラナー像の描画方向の切り替えを行う。例えば、同じアキシャルとなるＭＩＰ画像やプラナー像でも、頭から足下に向かって見るビュー方向である頭尾方向CC，逆に足下から頭に向かって見るBottom Viewなどがある。また、同じサジタルとなるＭＩＰ画像やプラナー像でも、乳房の内側から外側に向かって見るビュー方向である内外側ML，左から右あるいは右から左に向かって見るビューがある。
【００４９】
このようにグラフィカルユーザインタフェース(GUI: Graphical User Interface)上では、例えば図６に示すように頭尾方向CC表示，内外側ML表示が簡便に切り替えられるようになっている。図６では切り替え画面１０Ａによって頭尾方向CC，内外側MLのいずれか一つに切り替え表示を行う。その他に、図６では階調スライダー１０Ｂやカラーボタン１０Ｃを設けてもよい。内外側MLに関しては、検査する際の乳房の左右情報を元に内外側MLで表示するので、マンモＰＥＴ装置（乳房専用ＰＥＴ装置）でない限り、行えない表示である。
【００５０】
図６では、出力表示するＭＩＰ画像またはプラナー像を、乳房が下垂で描画している。もちろん、下垂とは反対に（すなわち乳頭が上に位置するように）乳房を描画してもよい。また、図６では位置情報を示す罫線をスケーラ１０Ｄとして画面に描画している。
【００５１】
検査確認画像が再構成された画像の場合には、検査開姶前まで（例えば検査準備ボタンを押下して、検査開姶ボタンを押すまで）に得られた検査データを画像処理部６に送り込み、この検査データを蓄積しつつ画像処理部６は画像を再構成する。このように検査開姶前までに得られた検査データを用いて再構成された画像検査確認画像として出力表示してもよい。その際に、例えばボタンを押下することによって、検査確認画像をクリアしてもよい。
【００５２】
本実施例に係るマンモＰＥＴ装置１によれば、被検体Ｍ内の放射性薬剤から発生した放射線を検出器３ａが検出し、当該検出器３ａで検出された放射線から同時計数回路５は検査データ（本実施例ではサイノグラム）を生成する。そして、生成された当該検査データを蓄積しつつ画像処理部６が再構成することにより、乳房に関する検査（撮像）を行う。従来では、撮像終了後に各データ（検査データ・再構成された画像）を保存していた。本発明の本実施例では、検査開姶前から検査データを生成して収集することにより、検査開姶前から当該検査データを保存する。そして、検査開姶前に得られた検査データを利用して、検査位置確認のための乳房に関する検査確認画像（本実施例ではアキシャルまたはサジタルとなるＭＩＰ画像またはプラナー像，再構成された画像）を検査前あるいは検査中に随時更新しながら出力表示する出力表示制御の機能を例えばコントローラ７が有する。検査確認画像（アキシャルまたはサジタルとなるＭＩＰ画像またはプラナー像，再構成された画像）を検査前に随時更新しながら出力表示する場合には、検査までに検査確認画像（アキシャルまたはサジタルとなるＭＩＰ画像またはプラナー像，再構成された画像）の表示結果を目視して乳房の位置合わせ（ポジショニング）を行うことができる。検査確認画像（アキシャルまたはサジタルとなるＭＩＰ画像またはプラナー像，再構成された画像）を検査中に随時更新しながら出力表示する場合には、検査中に検査確認画像（アキシャルまたはサジタルとなるＭＩＰ画像またはプラナー像，再構成された画像）の表示結果を目視して乳房の位置合わせ（ポジショニング）を行うことができる。このように、図６に示すように、検査データを利用して乳房に関する検査確認画像（アキシャルまたはサジタルとなるＭＩＰ画像またはプラナー像，再構成された画像）を随時更新しながら出力表示することにより、一枚の画像（検査確認画像）で撮像範囲・病変が撮像視野内にあるか否かを確認することができる。
【００５３】
なお、乳頭を通り胸壁に垂直な乳房の中心軸Ａｘであって、表示指定に基づいて、当該乳房の中心軸Ａｘに直交する複数の方向からの検査確認画像の出力表示のいずれか一つに切り替えを行う第１出力表示切り替えの機能を例えばコントローラ７が有するのが好ましい。これにより、乳房の中心軸Ａｘに直交する様々な方向からの検査確認画像は、乳頭から胸壁までが描画されて表示されるので、乳房の挿入深さや病変の深さを把握することができる。また、表示指定に基づいて、見えやすい方向からの検査確認画像の出力表示の切り替えを行うことにより、深さ方向に対して撮像範囲・病変が撮像視野内にあるか否かを確認することができる。
【００５４】
この場合において、乳房の中心軸Ａｘに直交する軸の代表例は、乳房の中心軸Ａｘに直交する体軸Ｚ，または体軸Ｚに直交かつ乳房の中心軸Ａｘに直交する軸である。すなわち、検査確認画像は、（乳房の中心軸Ａｘに直交する）体軸Ｚでの体軸横断面のアキシャルとなる画像，または（体軸Ｚに直交かつ乳房の中心軸Ａｘに直交する）軸方向からの矢状断面のサジタルとなる画像であって、第１出力表示切り替えの機能（コントローラ７）は、アキシャルとなる画像またはサジタルとなる画像の出力表示のいずれかに切り替えを行う。
【００５５】
また、本実施例のように検査確認画像は、最大値投影法で得られたＭＩＰ画像，またはプラナー像であってもよい。なお、多断層（多断面）画像の場合には病巣を見つけようとすると各断面を検索しなければならなくなることがある。そこで、ＭＩＰ画像を検査確認画像とすることで病巣の深さを把握することができる。また、プラナー像は、あるビューからの平面像（すなわち投影像）である。よって、プラナー像を検査確認画像とすることで、検査データを再構成することなく、検査データからプラナー像を簡易に生成することができる。
【００５６】
本実施例のように検査確認画像がＭＩＰ画像またはプラナー像である場合において、表示指定に基づいて、ＭＩＰ画像またはプラナー像の出力表示のいずれかに切り替えを行う第２出力表示切り替えの機能を例えばコントローラ７が有するのが好ましい。これにより、必要に応じて、ＭＩＰ画像の出力表示に切り替えを行うことで、病巣を見つけやすいＭＩＰ画像を表示することができる。また、必要に応じて、プラナー像の出力表示に切り替えを行うことで、検査データから簡易に生成されたプラナー像を検査確認画像として簡便に表示することができる。
【００５７】
また、本実施例のように検査確認画像がＭＩＰ画像またはプラナー像である場合において、出力表示するＭＩＰ画像またはプラナー像の描画方向の切り替えを行う第３出力表示切り替えの機能を例えばコントローラ７が有してもよい。
【００５８】
また、本実施例のように検査確認画像がＭＩＰ画像またはプラナー像である場合において、出力表示するＭＩＰ画像またはプラナー像を、図６に示すように乳房が下垂で描画してもよい。図１に示すように被検体Ｍを伏臥位に載置する場合には、乳房が下垂で描画することにより、画像の上が胸壁側，下が乳頭側で描画することができる。特に、乳房が下垂している様子を正面から見たアキシャル方向，あるいは側面から見たサジタル方向でのＭＩＰ画像またはプラナー像を表示することで、上述したように実際に被検体Ｍがうつ伏せで寝ている体位（伏臥位）をイメージしつつ、乳房を深く挿入しているのか、胸壁近くの病変が撮像視野内に入っているのかを一見で確認することができる。
【００５９】
上述したように、検査開姶前までに得られた検査データを用いて再構成された画像を検査確認画像として出力表示してもよい。病変が撮像視野外になったことによる再検査を減らし、術者の被曝および被検体Ｍの身体的負担の増大を抑え、検査ルーティンを維持し易くする。また、再構成された画像を検査確認画像として表示することにより、検査前の体位の微調整や確認が行い易くなる。
【００６０】
また、検査開姶前までに得られた検査データを用いて再構成された画像を検査確認画像とする場合において、上述したように当該検査確認画像をクリアするのが好ましい。検査位置確認にさほどの影響はないが検査開姶前には多少のノイズが検査データに重畳される。検査確認画像をクリアすることにより、検査（撮像）時での再構成された画像を精度良く収集することができる。また、検査開始前に検査位置確認を行い、被検体Ｍのポジショニングをやり直した場合、それまでの検査データによる位置確認画像に新たなポジジョンでのデータを加えると、位置確認が曖昧なものになるので、随時画像をクリアできるクリアボタンを設置し、クリアボタンが押下されると、画像をクリアし、またボタン押下後の検査データのみを用いて位置確認画像を表示する。
【００６１】
図６に示すように、出力表示する検査確認画像を被検体Ｍの検査体位（図１では伏臥位）と同じ空間座標系で描画（図６では乳房が下垂で描画）するのが好ましい。描画される検査確認画像と被検体Ｍの検査体位とが同じ空間座標系であることで、乳房の挿入が直感的に理解し易くなる。
【００６２】
図６に示すように、位置情報を示す罫線をスケーラ１０Ｄとして画面に描画してもよい。スケーラ１０Ｄにより撮像範囲・病変の位置が直感的に理解し易くなる。
【００６３】
この発明は、上記実施形態に限られることはなく、下記のように変形実施することができる。
【００６４】
（１）上述した実施例では、乳房専用核医学診断装置としてマンモＰＥＴ装置を例に採って説明したが、この発明は、単一の放射線を検出するマンモＳＰＥＣＴ（Single Photon Emission CT）装置などにも適用することができる。
【００６５】
（２）上述した実施例では、図１に示すリング状の検出器ユニット３を用いたが、検出器の構成については特に限定されない。例えば、検出器を内蔵した平板で乳房を挟んで圧迫してマンモグラムを行う圧迫のタイプであっても、例えば平板内で検出器が自在に移動してトモシンセシスによる検査データを利用してもよい。ただし、トモシンセシスによるＸ線マンモグラフィ以外の非圧迫のタイプの方がより多くの多断層画像（ＭＰＲ画像）が得られるので、圧迫のタイプを用いるのが好ましい。また、一部が開口された非リング状の検出器ユニットを用いてもよい。この場合には、乳房の大きさに応じて検出器ユニットの径の大きさを自在に変更することができる。
【００６６】
（３）上述した実施例では、左右の乳房の撮像をそれぞれ行ったが、特別な事情があれば、片方の乳房のみの撮像を行ってもよい。
【００６７】
（４）上述した実施例では、検査確認画像は、アキシャルまたはサジタルとなるＭＩＰ画像またはプラナー像，再構成された画像であったが、乳房の挿入深さや病変の深さを把握せずに、例えば平面視で乳頭が撮像視野中心にあるのを確認するために冠状断面のコロナルとなる画像を検査確認画像としてもよい。
【符号の説明】
【００６８】
１  …  マンモＰＥＴ装置
３ａ  …  検出器
５  …  同時計数回路
６  …  画像処理部
７  …  コントローラ
１０Ｄ  …  スケーラ
Ａｘ  …  乳房の中心軸
Ｚ  …  体軸
Ｍ  …  被検体
【図１】
2016205830.tif 000003
【図２】
2016205830.tif 000004
【図３】
2016205830.tif 000005
【図４】
2016205830.tif 000006
【図５】
2016205830.tif 000007
【図７】
2016205830.tif 000008
【図６】
2016205830.tif 000009